(57)【要約】【課題】バーナヘッドの更なる小径化が可能なコンロバーナを提供する。【解決手段】バーナヘッド１１の筒状壁１１ａを貫通させて複数の主炎口通路１２ａおよび補助炎口通路１３ａを形成し、主炎口通路および補助炎口通路が筒状壁の外周側面に開口する部分に、主炎口１２および補助炎口１３を形成する。主炎口通路の上壁１２ｂは、半径方向外側に向かって上向きに傾斜させて形成し、補助炎口通路の上壁１３ｂは、半径方向外側に向かって水平または下方に傾斜させて形成する。こうすれば、補助炎口の炎は、主炎口の炎より下方の位置に形成されるので、燃焼用の空気が確保されて安定した炎となる。この補助炎口の炎によって主炎口の炎が安定し、主炎口の炎のリフトが抑制される。その結果、炎をリフトさせることなくバーナヘッドの小径化が可能となる。【選択図】図３
2020204435.tif 000002
【特許請求の範囲】
【請求項１】
円筒形状の筒状壁が形成されたバーナヘッドを備え、前記筒状壁の外周側面に複数の炎口が開口していると共に、前記複数の炎口から燃料ガスと空気との混合ガスを流出させることによって、前記混合ガスを燃焼させるコンロバーナにおいて、
前記複数の炎口には、複数の主炎口と、前記主炎口に隣接する位置に開口して前記主炎口よりも開口面積が小さな複数の補助炎口とが存在しており、
前記主炎口は、前記筒状壁を貫通する主炎口通路が前記筒状壁の前記外周側面に開口することによって形成されており、
前記補助炎口は、前記筒状壁を貫通する補助炎口通路が前記筒状壁の前記外周側面に開口することによって形成されており、
前記主炎口通路の上面側を形成する上壁は、少なくとも前記筒状壁の前記外周側面側では、前記筒状壁の半径方向外側に向かって上方に傾斜して形成されており、
前記補助炎口通路の上面側を形成する上壁は、少なくとも前記筒状壁の前記外周側面側では、前記筒状壁の半径方向外側に向かって水平または下方に傾斜して形成されている
ことを特徴とするコンロバーナ。
【請求項２】
請求項１に記載のコンロバーナにおいて、
前記燃料ガスと前記空気とを混合させて前記混合ガスを生成すると共に、前記バーナヘッドが載置されることによって前記混合ガスを前記バーナヘッドに供給するバーナボディを備え、
前記筒状壁は、前記バーナヘッドの外縁部分から下方に向けて突設されている共に、前記筒状壁の下端面には、前記筒状壁を半径方向に貫通する複数の主炎口溝および複数の補助炎口溝が穿設されており、
前記主炎口通路および前記補助炎口通路は、前記バーナヘッドの前記筒状壁を前記バーナボディの載置面に載置することによって、前記筒状壁の下端面に穿設された前記主炎口溝および前記補助炎口溝と、前記載置面との間に形成された通路であり、
前記バーナボディの載置面は、前記バーナヘッドの前記筒状壁の外周側面よりも、半径方向外側まで延設されている
ことを特徴とするコンロバーナ。
【請求項３】
請求項２に記載のコンロバーナにおいて、
前記バーナボディの前記載置面は、少なくとも、前記バーナヘッドの前記筒状壁の外周側面よりも前記半径方向外側の部分では、外側に向かって下方に傾斜している
ことを特徴とするコンロバーナ。
【発明の詳細な説明】
【技術分野】
【０００１】
本発明は、燃料ガスと空気との混合ガスを、バーナヘッドに形成された複数の炎口から流出させることによって燃焼させるコンロバーナに関する。
【背景技術】
【０００２】
五徳上の調理容器を底面側から炙ることによって、調理容器内の調理物を加熱するコンロバーナは広く使用されている。このコンロバーナにはバーナヘッドと呼ばれる円環形状の部品が設けられており、バーナヘッドの外周側面には複数の炎口が形成されている。そして、炎口から燃料ガスと空気との混合ガスを流出させて混合ガスに点火することによって、バーナヘッドの周囲に混合ガスの炎を形成する。こうして形成した炎で調理容器の底部を炙ることによって、調理容器内の調理物を加熱調理することが可能となっている。
【０００３】
このようなコンロバーナでは、バーナヘッドの周囲に形成された炎が調理容器からはみ出した状態（いわゆる炎溢れ状態）となることを抑制する目的で、バーナヘッドを小径化する努力が行われてきた。バーナヘッドを小径化すればする程、バーナヘッドの外周長が減少するので、コンロバーナ全体で見たときの炎口の開口面積（以下、炎口面積）を確保することや、隣接する炎口間の距離を確保することが困難となる。炎口面積が確保できずに、炎口面積が小さくなると、炎口から流出する混合ガスの流速が速くなるので、炎のリフトが生じ易くなって燃焼が不安定になる。また、隣接する炎口間の距離が確保できずに、炎口間の距離が小さくなると、炎口の炎が隣の炎口の炎と干渉して、燃焼に必要な空気が十分に供給できなくなり、燃焼不良を引き起し易くなる。
【０００４】
そこで、炎口を高さ方向に拡張して縦長形状にすると共に、炎口と炎口との間に「補助炎口」と呼ばれる小さな炎口を設けることが広く行われている（例えば特許文献１）。尚、補助炎口と対比する意味で、補助炎口の隣に設けられた縦長形状の炎口は「主炎口」と呼ばれている。補助炎口に形成される炎は、主炎口に形成される炎に比べて小さいので、補助炎口の炎が主炎口の炎に干渉して燃焼不良を引き起こすことはなく、むしろ、主炎口の間に補助炎口が介在するために、主炎口間の距離が確保され、主炎口での燃焼状態を改善することができる。加えて、主炎口を高さ方向に拡張して縦長形状としてやることで、炎口面積を確保することができる。このため、混合ガスの流速を抑制することができ、炎のリフトを抑制することができる。更に加えて、補助炎口の炎を主炎口に供給することができるので、この点からも主炎口での炎のリフトを抑制することができる。これらの理由から、コンロバーナのバーナヘッドを小径化するに際しては、縦長形状の主炎口の間に小さな補助炎口を設けることが広く行われている。
【先行技術文献】
【特許文献】
【０００５】
【特許文献１】特開２０００−１５４９０７号公報
【発明の概要】
【発明が解決しようとする課題】
【０００６】
しかし、近年では、コンロバーナのバーナヘッドの小径化に対する要請はますます強くなっており、上述した方法では、主炎口での炎のリフトを抑制することが困難となりつつあり、このため、バーナヘッドの更なる小径化を実現することが困難となっていた。
【０００７】
この発明は、従来の技術が有する上述した課題に対応してなされたものであり、バーナヘッドの更なる小径化が可能なコンロバーナを提供することを目的とする。
【課題を解決するための手段】
【０００８】
上述した課題を解決するために、本発明のコンロバーナは次の構成を採用した。すなわち、
円筒形状の筒状壁が形成されたバーナヘッドを備え、前記筒状壁の外周側面に複数の炎口が開口していると共に、前記複数の炎口から燃料ガスと空気との混合ガスを流出させることによって、前記混合ガスを燃焼させるコンロバーナにおいて、
前記複数の炎口には、複数の主炎口と、前記主炎口に隣接する位置に開口して前記主炎口よりも開口面積が小さな複数の補助炎口とが存在しており、
前記主炎口は、前記筒状壁を貫通する主炎口通路が前記筒状壁の前記外周側面に開口することによって形成されており、
前記補助炎口は、前記筒状壁を貫通する補助炎口通路が前記筒状壁の前記外周側面に開口することによって形成されており、
前記主炎口通路の上面側を形成する上壁は、少なくとも前記筒状壁の前記外周側面側では、前記筒状壁の半径方向外側に向かって上方に傾斜して形成されており、
前記補助炎口通路の上面側を形成する上壁は、少なくとも前記筒状壁の前記外周側面側では、前記筒状壁の半径方向外側に向かって水平または下方に傾斜して形成されている
ことを特徴とする。
【０００９】
かかる本発明のコンロバーナにおいては、バーナヘッドの筒状壁を貫通させて複数の主炎口通路が形成されており、これらの主炎口通路が筒状壁の外周側面に開口することによって複数の主炎口が形成されている。また、バーナヘッドの筒状壁には複数の補助炎口通路も貫通しており、これらの補助炎口通路が、主炎口に隣接する位置で、筒状壁の外周側面に開口することによって、主炎口よりも開口面積が小さな複数の補助炎口が形成されている。そして、主炎口通路は、主炎口通路の上壁が、半径方向外側に向かって上向きに傾斜して形成されている。また、補助炎口通路は、補助炎口通路の上壁が、半径方向外側に向かって水平または下方に傾斜して形成されている。
【００１０】
こうすれば、主炎口から流出する混合ガスは、主炎口通路の上壁に導かれて上向きに流出するため、主炎口には上向きの炎が形成されることになる。これに対して補助炎口からの混合ガスは、補助炎口通路の上壁に導かれて水平方向または下向き方向に流出する。従って、主炎口の炎との位置関係で言えば、補助炎口の混合ガスは、主炎口の炎の下方の位置に向かって流出することになる。このため、補助炎口の炎は、主炎口の炎が存在しない位置に形成されることになり、燃焼用の空気を十分に確保することができるので、安定した炎を形成することができる。そして、主炎口の炎の根元付近の位置に、補助炎口による安定した炎を形成することができれば、補助炎口の炎の熱や火炎が主炎口の炎に供給されるために炎が安定し、その結果として、主炎口の炎のリフトを抑制することができる。このため、バーナヘッドを小径化しても主炎口で炎がリフトしたり、燃焼が不安定になったりすることが無いので、バーナヘッドの更なる小径化を実現することが可能となる。
【００１１】
また、上述した本発明のコンロバーナにおいては、次のようにしても良い。先ず、バーナボディを用いて燃料ガスと空気とを混合させて混合ガスを生成し、このバーナボディの上にバーナヘッドを載置して、バーナボディからバーナヘッドに混合ガスが形成されるようにする。また、バーナヘッドの外縁部分からは下方に向けて筒状壁を突設させ、この筒状壁の下端面には、筒状壁を半径方向に貫通する複数の主炎口溝および複数の補助炎口溝を穿設しておく。そして、バーナヘッドの筒状壁をバーナボディの載置面に載置することによって、筒状壁の下端面に穿設された主炎口溝と載置面との間に主炎口通路を形成するとともに、筒状壁の外周側面に主炎口を形成する。同様に、筒状壁の下端面に穿設された補助炎口溝と載置面との間に補助炎口通路を形成するとともに、筒状壁の外周側面に補助炎口を形成する。この時、バーナボディの載置面が、バーナヘッドの筒状壁の外周側面よりも、半径方向外側まで延設されているようにしても良い。
【００１２】
こうすれば、補助炎口は、バーナボディの載置面の外端から半径方向内側に引っ込んだ位置に開口した状態となる。このため、補助炎口に形成される炎の根元の部分が、バーナボディの外側面に沿って上昇する空気の流れに曝されて、炎が吹き消されることが無いので、補助炎口の炎を安定させることができる。そして、補助炎口の炎を安定させることが出来れば、主炎口の炎も安定させることが可能となるため、バーナヘッドをより一層小径化することが可能となる。
【００１３】
また、バーナボディの上にバーナヘッドを載置する上述した本発明のコンロバーナにおいては、バーナボディの載置面を次のような形状としても良い。すなわち、少なくとも、バーナヘッドの筒状壁の外周側面よりも半径方向外側の部分では、載置面が外側に向かって下方に傾斜しているようにしても良い。
【００１４】
こうすれば、加熱調理中に煮こぼれが発生した場合でも、煮こぼれ汁はバーナボディの載置面を伝って半径方向外側に向かって流れるので、煮こぼれ汁がコンロバーナの内部に浸入する事態を防止することが可能となる。
【図面の簡単な説明】
【００１５】
【図１】本実施例のコンロバーナ１０を搭載したガスコンロ１の構成を示す説明図である。
【図２】本実施例のコンロバーナ１０の断面図である。
【図３】本実施例のコンロバーナ１０を縦方向に切断して、主炎口１２および補助炎口１３の部分を拡大した拡大断面図である。
【図４】第１変形例のコンロバーナ１０についての説明図である。
【図５】第２変形例のコンロバーナ１０についての説明図である。
【発明を実施するための形態】
【００１６】
図１は、本実施例のコンロバーナ１０がガスコンロ１に搭載された状態を示す説明図である。図示されるように、ガスコンロ１は、ガラス製あるいは金属製の天板２を備えており、天板２には後述するバーナ用開口が形成されている。そして、このバーナ用開口から上部を突出させた状態で、コンロバーナ１０が搭載されている。また、天板２上には、バーナ用開口から突出したコンロバーナ１０を囲むようにして五徳３が載置されており、五徳３上に鍋などの調理容器を置いて、コンロバーナ１０で鍋底を加熱することが可能となっている。更に、バーナ用開口とコンロバーナ１０との間の隙間はバーナリング４で塞がれた状態となっている。
【００１７】
コンロバーナ１０は、バーナボディ１４と、バーナボディ１４の上に載置されたバーナヘッド１１と、点火プラグ１５などを備えている。また、バーナヘッド１１の上部には、幅広の円環形状のバーナカバー１６が取り付けられており、バーナカバー１６の中央の貫通穴から上部を突出した状態で温度センサー１７が取り付けられている。後述するようにバーナボディ１４の内部では、燃料ガスと空気とが混合することによって混合ガスが形成されている。また、バーナヘッド１１には、円筒形状の外周側面に縦長形状の複数の主炎口１２が開口しており、主炎口１２に隣接する位置には、主炎口１２よりも開口面積が小さな複数の補助炎口１３が開口している。そして、これらの主炎口１２および補助炎口１３からは、バーナボディ１４内で形成された混合ガスが流出し、この混合ガスに点火プラグ１５で点火することによって燃焼が開始されるようになっている。バーナカバー１６は、加熱中に調理器具から煮こぼれた場合に、バーナヘッド１１やバーナボディ１４に煮こぼれ汁がかかることを防止する機能を有している。また、温度センサー１７は、上端面が調理容器の底面に当接して、調理容器の温度を計測することができる。
【００１８】
図２は、コンロバーナ１０の主炎口１２および補助炎口１３を通過する断面で、ガスコンロ１を縦方向に切断することによって、コンロバーナ１０の構造を示した断面図である。コンロバーナ１０のバーナボディ１４は、プレス成形された２枚の板金を向かい合わせて、気密な状態に組み付けることによって形成されている。そして、一方の板金が外周壁１４ａを構成し、他方の板金が内周壁１４ｂを構成して、外周壁１４ａと内周壁１４ｂとの間に混合室１４ｃが形成されている。外周壁１４ａの上端部分は内側に向けて折り曲げられることによって、円環形状の載置面１４ｄが形成されており、この載置面１４ｄの上に、バーナヘッド１１が載置されている。
【００１９】
バーナヘッド１１は、アルミニウム合金や真鍮などの金属材料を用いて鍛造あるいはダイカストなどによって形成された略円環形状の部品であり、円環形状の内縁部分からは筒形状の支持筒１１ｂが下方に向けて突設されている。更に、円環形状の外縁部分からは、後述する円筒形状の筒状壁が下方に向けて突設されている。バーナヘッド１１の支持筒１１ｂをバーナボディ１４の内周壁１４ｂに嵌合させた状態で、バーナボディ１４の載置面１４ｄにバーナヘッド１１を載置すると、バーナヘッド１１の外周側面に主炎口１２および補助炎口１３が形成されるようになっている。この点については、後ほど詳しく説明する。
【００２０】
バーナヘッド１１の上部には、図示しない取付金具によって幅広の円環形状のバーナカバー１６が取り付けられている。更に、バーナカバー１６の中心位置に形成された貫通穴からは、円筒形状の温度センサー１７の上部が突出している。温度センサー１７は、バーナヘッド１１の支持筒１１ｂの中央を貫通する支持ポール１８の上端に取り付けられており、五徳３に調理容器が置かれていない時の温度センサー１７の上端は五徳３の上面よりも突出している。また、バーナボディ１４の上部（載置面１４ｄが形成されている部分）は、天板２に開口するバーナ用開口２ａから突出した状態となっており、バーナボディ１４とバーナ用開口２ａとの隙間は円環状のバーナリング４で塞がれている。
【００２１】
図３は、本実施例のコンロバーナ１０を縦方向に切断した状態で、主炎口１２の部分および補助炎口１３の部分を拡大した拡大断面図である。図３（ａ）には、主炎口１２の部分が拡大して示されており、図３（ｂ）には、補助炎口１３の部分が拡大して示されている。図３（ａ）および図３（ｂ）に示されるように、バーナヘッド１１の内縁部分からは下方に向けて支持筒１１ｂが突設されており、バーナヘッド１１の外縁部分からは円筒形状の筒状壁１１ａが下方に向けて突設されている。
【００２２】
また、図３（ａ）に示したように、主炎口１２の位置には、筒状壁１１ａの下端面に主炎口溝１１ｃが穿設されており、主炎口溝１１ｃは筒状壁１１ａの下端面を半径方向に横断した状態となっている。このため、バーナボディ１４の載置面１４ｄにバーナヘッド１１を載置すると、筒状壁１１ａの下端面に穿設された主炎口溝１１ｃと載置面１４ｄとによって主炎口通路１２ａが形成される。そして、この主炎口通路１２ａがバーナヘッド１１の筒状壁１１ａの外周側面に開口することによって主炎口１２が形成されている。
【００２３】
また、図３（ｂ）に示したように、補助炎口１３の位置には、筒状壁１１ａの下端面に補助炎口溝１１ｄが穿設されており、補助炎口溝１１ｄも筒状壁１１ａの下端面を半径方向に横断した状態となっている。このため、バーナボディ１４の載置面１４ｄにバーナヘッド１１を載置すると、補助炎口溝１１ｄと載置面１４ｄとによって補助炎口通路１３ａが形成される。そして、この補助炎口通路１３ａが筒状壁１１ａの外周側面に開口することによって補助炎口１３が形成されている。
【００２４】
ここで、図３（ａ）に示されるように、主炎口通路１２ａの上面側を形成している上壁１２ｂは、筒状壁１１ａの半径方向外側に向かって上方に傾斜した形状に形成されている。更に、主炎口通路１２ａの下面側を形成するバーナボディ１４の載置面１４ｄは、筒状壁１１ａの外周側面よりも外側まで延設されており、半径方向外側に向かって下向きに傾斜した形状に形成されている。一方、補助炎口１３の上面側を形成する上壁１３ｂは、図３（ｂ）に示したように、筒状壁１１ａの半径方向外側に向かって下方に傾斜した形状に形成されている。尚、図３（ｂ）では、補助炎口通路１３ａの上壁１３ｂは、半径方向外側に向かって下方に傾斜しているものとしているが、水平であっても構わない。また、補助炎口１３の部分でも、補助炎口通路１３ａの下面側を形成するバーナボディ１４の載置面１４ｄは、筒状壁１１ａの外周側面よりも外側まで延設されており、半径方向外側に向かって下向きに傾斜した形状に形成されている。このように、主炎口通路１２ａの上壁１２ｂについては、半径方向外側に向かって上方に傾斜させ、補助炎口通路１３ａの上壁１３ｂについては、半径方向外側に向かって下方に傾斜させて（あるいは水平にして）おけば、以下の理由から、バーナヘッド１１を従来以上に小径化することが可能となる。
【００２５】
図３（ａ）に示したように、主炎口通路１２ａは上壁１２ｂが、半径方向外側に向かって上方に傾斜して形成されているので、主炎口通路１２ａから流出する混合ガスは、上壁１２ｂに導かれて上方に向かって流れる結果、主炎口１２の炎は、図３（ａ）中に破線で示したように上向きに形成される。これに対して、図３（ｂ）に示したように、補助炎口通路１３ａは上壁１３ｂが、半径方向外側に向かって下方に傾斜した状態で形成されている。このため、補助炎口通路１３ａから流出する混合ガスは、補助炎口通路１３ａの上壁１３ｂに導かれて下方に向かって流れる結果、補助炎口１３の炎は、図３（ｂ）中に一点鎖線で示したように下向きに形成されることになる。
【００２６】
このように補助炎口１３の炎は、主炎口１２の炎が形成されない下方の位置に形成されるので、燃焼に必要な空気を主炎口１２の炎に奪われることがなく、補助炎口１３には安定した炎を形成することができる。このため、たとえバーナヘッド１１が小径化されて（従って、主炎口１２の間の距離が小さくなって）、主炎口１２の炎同士が近くなり、安定した炎を形成することが困難な状況になっても、補助炎口１３には安定した炎を形成することができる。そして、この補助炎口１３に形成された炎から、主炎口１２の炎に向かって熱や火炎が供給されるので、主炎口１２の炎も安定させることができる。その結果、主炎口１２の炎をリフトさせることなく、バーナヘッド１１を小径化することが可能となる。
【００２７】
以上では、補助炎口通路１３ａの上壁１３ｂが半径方向外側に向かって下方に傾斜した状態で形成されている場合について説明したが、補助炎口通路１３ａの上壁１３ｂが水平に形成されている場合にも、ほぼ同様な説明が当て嵌まる。すなわち、主炎口１２からの混合ガスは上向きに流出するのに対して、補助炎口１３からの混合ガスは水平方向に流出するので、補助炎口１３の炎は主炎口１２の炎よりも下方の位置に形成されることになる。このため、補助炎口１３の炎は、燃焼に必要な空気を主炎口１２の炎に奪われることがないので、補助炎口１３には安定した炎を形成することができ、その結果、主炎口１２の炎のリフトを防止することができるので、バーナヘッド１１を小型化することが可能となる。
【００２８】
また、図３（ａ）に示したように、バーナボディ１４の載置面１４ｄは、半径方向外側に向かって下方に傾斜して形成されている。その一方で、主炎口通路１２ａの上壁１２ｂは半径方向外側に向かって上方に傾斜しているので、主炎口通路１２ａの通路面積は半径方向外側に向かって大きくなる。そのため、主炎口１２から流出する混合ガスの流速が小さくなって、炎がリフトし難くなる。更に、主炎口１２から流出する混合ガスは、主炎口１２からあまり遠ざかることなく、斜め上方に向かって流れることになるので、主炎口１２の炎は、主炎口１２に接近した位置に形成されることになる。これに対して、補助炎口通路１３ａは、図３（ｂ）に示したように、補助炎口通路１３ａの上壁１３ｂが、バーナボディ１４の載置面１４ｄと同様に、半径方向外側に向かって下方に傾斜している（あるいは水平に形成されている）ので、補助炎口通路１３ａの通路面積は、主炎口通路１２ａの通路面積に比べて、大きくなることがない。このため、補助炎口１３では、主炎口１２のようには混合ガスの流速が小さくなることがなく、補助炎口１３の炎は、補助炎口１３から離れた位置に形成される。
【００２９】
このように、主炎口１２の炎は、主炎口１２に接近した位置に形成され、補助炎口１３の炎は、補助炎口１３から離れた位置に形成されるので、補助炎口１３の炎が主炎口１２の炎よりも下方に形成されることとも相まって、燃焼に必要な空気を主炎口１２の炎に奪われることなく、補助炎口１３には安定した炎を形成することができる。その結果、補助炎口１３に形成した炎によって主炎口１２の炎を安定させて、炎のリフトを防止することができるので、バーナヘッド１１をより一層小型化することが可能となる。
【００３０】
また、図３（ｂ）に示したように、バーナボディ１４の載置面１４ｄは、補助炎口１３よりも外側まで延設された状態となっている。このため、補助炎口１３に形成された炎の根元部分が、図３（ｂ）中に破線の矢印で示したように、バーナボディ１４の外側表面を上昇する空気の流れに曝されて、炎が吹き消される虞がないので、補助炎口１３に安定した炎を形成することができる。その結果、補助炎口１３の炎によって主炎口１２の炎を安定させてリフトを防止することができるので、バーナヘッド１１を小径化することが可能となる。
【００３１】
更に加えて、図３（ａ）および図３（ｂ）に示したように、バーナボディ１４の載置面１４ｄは、半径方向外側に向かって下方に傾斜した状態で形成されているので、加熱調理中に煮こぼれが生じても、煮こぼれ汁がコンロバーナ１０内部に浸入することを防止することが可能となる。
【００３２】
以上に説明した本実施例のコンロバーナ１０には、幾つかの変形例が存在する。以下では、これらの変形例について、本実施例との相違点を中心として簡単に説明する。
【００３３】
上述した本実施例では、主炎口通路１２ａの上壁１２ｂは、通路全体に亘って、半径方向外側に向かって上方に傾斜した状態で形成されており、補助炎口通路１３ａの上壁１３ｂは、通路全体に亘って、半径方向外側に向かって下方に傾斜した状態で（あるいは水平に）形成されているものとして説明した（図３参照）。しかし、主炎口通路１２ａの上壁１２ｂは、必ずしも通路全体に亘って、半径方向外側に向かって上方に傾斜した状態で形成されている必要は無い。また、補助炎口通路１３ａの上壁１３ｂについても、必ずしも通路全体に亘って、半径方向外側に向かって下方に傾斜した状態で（あるいは水平に）形成されている必要は無い。
【００３４】
図４には、このような第１変形例のコンロバーナ１０を縦方向に切断した断面図が示されている。図４（ａ）は主炎口１２の部分を拡大した断面図であり、図４（ｂ）は補助炎口１３の部分を拡大した断面図である。図４（ａ）に示されるように、第１変形例では、主炎口通路１２ａの上壁１２ｂは、通路全体ではなく、主炎口１２の側（すなわち、筒状壁１１ａの外周側面側）の部分が上方に傾斜して形成されている。また、図４（ｂ）に示されるように、補助炎口１３についても、補助炎口通路１３ａの上壁１３ｂは、通路全体ではなく、補助炎口１３の側（すなわち、筒状壁１１ａの外周側面側）の部分が下方に傾斜して（あるいは水平に）形成されている。
【００３５】
このような第１変形例でも、前述した本実施例と同様なメカニズムによって、補助炎口１３の炎で主炎口１２の炎のリフトを防止することができるので、バーナヘッド１１を小型化することが可能となる。
【００３６】
また、前述した本実施例では、バーナボディ１４の載置面１４ｄは、半径方向の全体が外側に向かって下方に傾斜しているものとして説明したが（図３参照）、必ずしも半径方向の全体が、外側に向かって下方に傾斜している必要は無い。すなわち、図４（ａ）および図４（ｂ）に例示したように、筒状壁１１ａの外周側面に対して少なくとも外側の部分が、半径方向外側に向かって下方に傾斜していればよい。こうすれば、加熱調理中に煮こぼれが発生しても、煮こぼれ汁がコンロバーナ１０内部に浸入することを防止することが可能となる。
【００３７】
また、前述した本実施例では、図１に示したように、主炎口１２と補助炎口１３とが交互に形成されているものとして説明した。しかし、バーナヘッド１１に複数の主炎口１２と複数の補助炎口１３とが形成されており、且つ、それらの補助炎口１３が主炎口１２の隣接する位置に形成されていれば十分であり、必ずしも主炎口１２と補助炎口１３とが交互に形成されている必要は無い。
【００３８】
図５には、このような第２変形例のコンロバーナ１０での主炎口１２および補助炎口１３の配置が例示されている。図５（ａ）に示した例では、主炎口１２と補助炎口１３とが、２つずつ交互に形成されている。このような場合でも、主炎口１２に隣接する位置には補助炎口１３が形成されているので、補助炎口１３の炎で、主炎口１２の炎のリフトを防止することができ、バーナヘッド１１を小径化することができる。
【００３９】
また、図５（ｂ）に示した例では、２つの主炎口１２と１つの補助炎口１３とが交互に形成されている。このような場合でも、主炎口１２に隣接する位置には補助炎口１３が形成されているので、図５（ａ）の場合と同様に、バーナヘッド１１を小径化することが可能となる。
【００４０】
また、図５（ｃ）に示した例では、３つの主炎口１２と２つの補助炎口１３とが交互に形成されている。このような場合、３つの主炎口１２の中央の主炎口１２については、隣接する位置に補助炎口１３が形成されていない。このため、中央の主炎口１２に形成される炎は、補助炎口１３の炎から火炎や熱の供給を受けることができない。しかし、左右の主炎口１２については隣接する位置に補助炎口１３が形成されているので、補助炎口１３の炎から供給される熱や火炎によって、左右の主炎口１２の炎を安定させることができ、リフトを防止することができる。そして、左右の主炎口１２の炎が安定すると、それらの炎から供給される熱や火炎によって、中央の主炎口１２の炎についても安定させることができ、リフトを防止することができる。その結果、図５（ｃ）に例示したように主炎口１２および補助炎口１３を配置した場合でも、バーナヘッド１１を小径化することが可能となる。
【００４１】
以上、本実施例および各種の変形例のコンロバーナ１０について説明したが、本発明は上記の実施例および変形例に限られるものではなく、その要旨を逸脱しない範囲において種々の態様で実施することが可能である。
【符号の説明】
【００４２】
１…ガスコンロ、      ２…天板、      ３…五徳、      ４…バーナリング、
１０…コンロバーナ、    １１…バーナヘッド、      １１ａ…筒状壁、
１１ｂ…支持筒、          １１ｃ…主炎口溝、          １１ｄ…補助炎口溝、
１２…主炎口、            １２ａ…主炎口通路、        １２ｂ…上壁、
１３…補助炎口、          １３ａ…補助炎口通路、      １３ｂ…上壁、
１４…バーナボディ、      １４ａ…外周壁、            １４ｂ…内周壁、
１４ｃ…混合室、          １４ｄ…載置面、            １５…点火プラグ、
１６…バーナカバー、      １７…温度センサー、        １８…支持ポール。
【図１】
2020204435.tif 000003
【図２】
2020204435.tif 000004
【図３】
2020204435.tif 000005
【図４】
2020204435.tif 000006
【図５】
2020204435.tif 000007